(57)【要約】【課題】管理者が管理対象者に課したタスクの進捗を効率良く確認できるようにする。【解決手段】サーバ２は、一のユーザ（専門家ユーザ）によって指定された他のユーザ（顧問先の一般ユーザ）と、当該一のユーザによって設定された当該他のユーザが実施すべきＴｏＤｏタスクに係るタスク情報と、を対応付けてタスクＤＢ２３ｂに登録するようにする。また、サーバ２は、登録されたタスク情報に関するタスクの進捗情報を一覧表（顧問先リストＬ）に表示させるようにする。【選択図】図７
2018128853.tif 000002
【特許請求の範囲】
【請求項１】
各ユーザが実施すべきタスクに係るタスク情報が、ユーザごとに記憶される記憶手段と、
一のユーザによって指定された他のユーザと、当該一のユーザによって設定された当該他のユーザが実施すべきタスクに係るタスク情報と、を対応付けて前記記憶手段に登録する登録制御手段と、
前記登録制御手段によって登録された前記タスク情報に関するタスクの進捗情報を一覧表に表示させる表示制御手段と、
を備えることを特徴とする作業支援装置。
【請求項２】
前記表示制御手段は、前記進捗情報として、前記登録制御手段によって登録された前記タスク情報に関するタスクのうち、未実施状態のタスクの数を前記一覧表に表示させることを特徴とする請求項１に記載の作業支援装置。
【請求項３】
前記登録制御手段は、前記一のユーザによって設定された前記他のユーザが実施すべきタスクに対して、当該一のユーザによって設定される優先度に係る優先度情報を更に対応付けて前記記憶手段に登録可能であり、
前記表示制御手段は、前記優先度の設定がなされた前記タスクのうち、未実施状態のタスクの数を前記一覧表に表示させることを特徴とする請求項２に記載の作業支援装置。
【請求項４】
前記優先度の指標には、少なくとも実施期限日が用いられ、
前記表示制御手段は、前記優先度として実施期限日の設定がなされた前記タスクにおいて、当該実施期限日が過ぎている未実施状態のタスクがある場合には、当該タスクがあることを前記一覧表に表示させることを特徴とする請求項３に記載の作業支援装置。
【請求項５】
前記表示制御手段は、前記一のユーザによる前回のログイン時と今回のログイン時とで、前記一覧表に表示される前記未実施状態のタスクの数に変動がある場合には、当該未実施状態のタスクの数の表示態様を変更することを特徴とする請求項２〜４のいずれか一項に記載の作業支援装置。
【請求項６】
前記他のユーザの代理として前記一のユーザによる代理ログインを行う代理ログイン手段を備え、
前記登録制御手段は、前記代理ログイン手段によって、前記他のユーザの代理として前記一のユーザによる代理ログインが行われた際に、当該他のユーザと、当該一のユーザによって設定された当該他のユーザが実施すべきタスクに係るタスク情報と、を対応付けて前記記憶手段に登録することを特徴とする請求項１〜５のいずれか一項に記載の作業支援装置。
【請求項７】
各ユーザが実施すべきタスクに係るタスク情報が、ユーザごとに記憶される記憶手段を備えるコンピュータを、
一のユーザによって指定された他のユーザと、当該一のユーザによって設定された当該他のユーザが実施すべきタスクに係るタスク情報と、を対応付けて前記記憶手段に登録する登録制御手段、
前記登録制御手段によって登録された前記タスク情報に関するタスクの進捗情報を一覧表に表示させる表示制御手段、
として機能させることを特徴とするプログラム。
【発明の詳細な説明】
【技術分野】
【０００１】
本発明は、作業支援装置及びプログラムに関する。
【背景技術】
【０００２】
従来、例えば、個人事業者等の利用者が経理入力を行うことができ、その入力データを会計士、税理士等の専門家と共有することができるコンピュータネットワークを用いた会計システムが知られている（特許文献１参照）。
【０００３】
また、会計事務所とそのクライアント企業との間で仕訳データの同期を取りながら会計事務所側がクライアント企業側に財務会計に関する指導等をネットワークを介して行う財務会計システムが知られている（特許文献２参照）。
【先行技術文献】
【特許文献】
【０００４】
【特許文献１】特開平９−２７４６２８号公報
【特許文献２】特開２００４−１３２９８号公報
【発明の概要】
【発明が解決しようとする課題】
【０００５】
しかしながら、管理者（例えば、会計士、税理士等）が管理対象者（例えば、個人事業者、クライアント企業等）に指導したタスクがあり、管理者が当該タスクの進捗を確認しようとした場合、管理対象者に直接連絡するか、当該管理対象者と共有しているデータを見直す必要があり効率が悪い。特に、管理対象者が複数存在する場合、上記の問題が顕著となる。
【０００６】
本発明は、このような問題に鑑みてなされたものであり、管理者が管理対象者に課したタスクの進捗を効率良く確認できるようにすることを目的とする。
【課題を解決するための手段】
【０００７】
上記課題を解決するため、本発明に係る作業支援装置は、
各ユーザが実施すべきタスクに係るタスク情報が、ユーザごとに記憶される記憶手段と、
一のユーザによって指定された他のユーザと、当該一のユーザによって設定された当該他のユーザが実施すべきタスクに係るタスク情報と、を対応付けて前記記憶手段に登録する登録制御手段と、
前記登録制御手段によって登録された前記タスク情報に関するタスクの進捗情報を一覧表に表示させる表示制御手段と、
を備えることを特徴とする。
【発明の効果】
【０００８】
本発明によれば、管理者が管理対象者に課したタスクの進捗を効率良く確認することができる。
【図面の簡単な説明】
【０００９】
【図１】本発明の実施の形態の作業支援システムを示すブロック図である。
【図２】サーバの機能構成を示すブロック図である。
【図３】端末装置の機能構成を示すブロック図である。
【図４】（ａ）は、専門家アカウントデータテーブルを示す図であり、（ｂ）は、一般アカウントデータテーブルを示す図である。
【図５】タスクＤＢを示す図である。
【図６】一般アカウントによってサーバへログインがなされたときの一般ユーザ用表示画面（ＴＯＰ画面）を示す図である。
【図７】専門家アカウントによってサーバへログインがなされたときの専門家用表示画面（ＴＯＰ画面）を示す図である。
【図８】顧問先リスト表示制御処理を示すフローチャートである。
【図９】ＴｏＤｏ登録処理を示すフローチャートである。
【図１０】ＴｏＤｏタスクの登録フォームの一例を示す図であり、（ａ）は、各種データを入力する前の状態を示す図であり、（ｂ）は、各種データを入力した後の状態を示す図である。
【図１１】更新された顧問先リストを示す図である。
【図１２】ＴｏＤｏインデックスが新たに追加登録された際のＴｏＤｏアプリケーション画面（ＴＯＰ画面）を示す図である。
【発明を実施するための形態】
【００１０】
以下に、本発明について、図面を用いて具体的な態様を説明する。ただし、発明の範囲は、図示例に限定されない。
【００１１】
先ず、作業支援システム１の概略構成について、図１を参照して説明する。
図１は、作業支援システム１の概略構成を示す図である。
図１に示すように、本実施形態の作業支援システム１は、作業支援装置としてのサーバ２と、複数の端末装置３とを備えている。また、サーバ２と端末装置３とは、通信ネットワークＮを介して情報通信可能に接続される。
【００１２】
サーバ２は、例えば、クラウド上のサーバである。
また、サーバ２は、端末装置３のユーザにより実施されるべき作業項目（タスク）を管理するとともに、作業項目と関連付けられている業務処理を行う。
【００１３】
端末装置３は、例えば、個人企業のオーナー、中小企業のオーナー、個人商店の店主等のユーザ（以下、一般ユーザと称する）や、税理士、社労士、コンサルタント等のユーザ（以下、専門家ユーザと称する）が所持する端末装置である。この端末装置３としては、例えば、スマートフォン、タブレットＰＣ（Personal Computer）、携帯電話機、ＰＤＡ（Personal Digital Assistant）、ノートＰＣ、デスクトップＰＣ等が挙げられる。
また、端末装置３は、ブラウザ等により、ユーザの操作入力を受け付けてサーバ２に送信し、サーバ２から送信されて受信した情報を表示する。
【００１４】
通信ネットワークＮは、例えば、インターネットであるものとするが、ＬＡＮ（Local Area Network）等、他のネットワークとしても良い。
【００１５】
次に、サーバ２の機能的構成について、図２を参照して説明する。
図２は、作業支援システム１を構成するサーバ２の機能的構成を示すブロック図である。
図２に示すように、サーバ２は、ＣＰＵ２１（登録制御手段、表示制御手段、代理ログイン手段）と、ＲＡＭ２２と、記憶部２３と、操作部２４と、表示部２５と、通信部２６とを備えている。また、サーバ２の各部は、バス２７を介して接続されている。
【００１６】
ＣＰＵ（Central Processing Unit）２１は、サーバ２の各部を制御する。ＣＰＵ２１は、記憶部２３に記憶されているシステムプログラム及びアプリケーションプログラムのうち、指定されたプログラムを読み出し、ＲＡＭ２２のワークエリアに展開し、当該プログラムに従って各種処理を実行する。
【００１７】
ＲＡＭ（Random Access Memory）２２は、例えば、揮発性のメモリであり、ＣＰＵ２１により読み出された各種のプログラムやデータを一時的に格納するワークエリアを有する。
【００１８】
記憶部２３は、例えば、ＨＤＤ（Hard Disk Drive）、ＳＳＤ（Solid State Drive）等により構成され、データ及びプログラムを書き込み及び読み出し可能な記憶部である。また、記憶部２３は、アカウントＤＢ２３ａ、タスクＤＢ２３ｂ（記憶手段）、会計情報ＤＢ２３ｃ、給与ＤＢ２３ｄ、売上情報ＤＢ２３ｅ、顧問先管理アプリケーションプログラム２３ｆ、ＴｏＤｏアプリケーションプログラム２３ｇ、会計アプリケーションプログラム２３ｈ、給与アプリケーションプログラム２３ｉ、ＰＯＰ作成アプリケーションプログラム２３ｊ、売上管理アプリケーションプログラム２３ｋを記憶している。
【００１９】
アカウントＤＢ２３ａは、専門家ユーザのアカウント情報を格納する専門家アカウントデータテーブル（図４（ａ）参照）と、一般ユーザのアカウント情報を格納する一般アカウントデータテーブル（図４（ｂ）参照）とを有している。
【００２０】
図４（ａ）に示すように、専門家アカウントデータテーブルは、専門家ユーザを識別する「専門家アカウント（ＩＤ）」と、当該専門家ユーザのメールアドレスを表す「メールアドレス」と、当該専門家ユーザのログイン認証に用いられる「パスワード」と、当該専門家ユーザの名前を表す「名前」と、当該専門家ユーザが一般ユーザの代理としてログイン（代理ログイン）を行う代理設定の有無を表す「代理設定」と、代理ログインが可能である一般ユーザのアカウント情報を表す「従属アカウント」とを対応付けて記憶している。
【００２１】
図４（ｂ）に示すように、一般アカウントデータテーブルは、一般ユーザを識別する「一般アカウント（ＩＤ）」と、当該一般ユーザのメールアドレスを表す「メールアドレス」と、当該一般ユーザのログイン認証に用いられる「パスワード」と、当該一般ユーザの名前を表す「名前」とを対応付けて記憶している。
【００２２】
タスクＤＢ２３ｂは、ユーザごとにＴｏＤｏタスクを記憶する複数のタスクデータテーブルを備えている。ここで、ＴｏＤｏタスクとは、ユーザが実施すべき作業をいう。
例えば、図５は、一般ユーザである「佐藤和夫」氏（一般アカウント「Ｂ０１７」）のタスクデータテーブルの一例を示す図である。
図５に示すように、タスクデータテーブルは、実施すべき作業項目毎に、作業項目の登録者を表す「登録者（ＩＤ）」と、作業項目の登録日時を表す「登録日時」と、作業項目の対象者を表す「対象者（ＩＤ）」と、作業項目の実施期限日を表す「実施期限日」と、作業項目の重要度を表す「重要度」と、作業項目の完了日を表す「完了日」と、作業項目の内容を表す「メッセージ」と、作業項目と業務との関連性を表す「業務の関連付け」と、添付画像の有無を表す「添付」とを対応付けて記憶している。
【００２３】
会計情報ＤＢ２３ｃは、会計管理業務を行う際に使用する会計情報を記憶する。
給与ＤＢ２３ｄは、給与管理業務を行う際に使用する給与情報を記憶する。
売上情報ＤＢ２３ｅは、売上管理業務を行う際に使用する売上情報を記憶する。
【００２４】
顧問先管理アプリケーションプログラム２３ｆは、専門家ユーザによる顧問先の一般ユーザの管理をサポートするためのプログラムであり、当該プログラムが起動されることにより、専門家用表示画面（顧問先管理画面）（図７参照）にて後述する顧問先リストＬが表示されるようになっている。
ＴｏＤｏアプリケーションプログラム２３ｇは、記憶部２３に記憶されているタスクＤＢ２３ｂにＴｏＤｏタスクを作成して登録したり、ＴｏＤｏタスクを表示させたりするためのプログラムである。また、本実施形態におけるＴｏＤｏアプリケーションプログラム２３ｇは、一般ユーザとの間で上記の代理設定を行った専門家ユーザが当該一般ユーザの代理でログイン（代理ログイン）した際に、当該一般ユーザが実施すべきＴｏＤｏタスクを新規に登録したり、当該一般ユーザによって既に登録がなされているＴｏＤｏタスクの属性を変更（例えば、後述する管理設定部Ｆ８の設定を「オフ」から「オン」に変更）することができるようになっている。
【００２５】
会計アプリケーションプログラム２３ｈは、会計情報ＤＢ２３ｃに記憶されている会計情報に基づき、固定資産税や個人事業税等の納税処理を行うためのプログラムである。
給与アプリケーションプログラム２３ｉは、給与ＤＢ２３ｄに記憶されている給与情報に基づき、従業員の給与計算の処理を行うためのプログラムである。
ＰＯＰ作成アプリケーションプログラム２３ｊは、商店などに用いられる販売促進のための広告媒体であるＰＯＰ（Point of purchase advertising）等を作成するためのプログラムである。
売上管理アプリケーションプログラム２３ｋは、売上情報ＤＢ２３ｅに記憶されている売上情報に基づき、店舗の日月別の売上集計や分析を行うためのプログラムである。
【００２６】
操作部２４は、例えば、キーボード等のキー入力部と、マウス等のポインティングデバイスとを有している。また、操作部２４は、キー入力及び位置入力を受け付け、その操作情報をＣＰＵ２１に出力する。
【００２７】
表示部２５は、例えば、ＬＣＤ（Liquid Crystal Display）や有機ＥＬ（Electro-Luminescence）ディスプレイ等から構成されている。また、表示部２５には、ＣＰＵ２１から出力されて入力される表示信号の指示に従って、各種画面を表示する。
【００２８】
通信部２６は、例えば、ネットワークカード等により構成されている。また、通信部２６は、通信ネットワークＮに通信接続されて、通信ネットワークＮ上の機器（例えば、端末装置３等）との通信を行う。
【００２９】
次に、端末装置３の機能的構成について、図３を参照して説明する。
図３は、作業支援システム１を構成する端末装置３の機能的構成を示すブロック図である。
図３に示すように、端末装置３は、ＣＰＵ３１と、ＲＡＭ３２と、記憶部３３と、操作部３４と、表示部３５と、無線通信部３６とを備えている。また、端末装置３の各部は、バス３７を介して接続されている。
【００３０】
ＣＰＵ３１は、端末装置３の各部を制御する。ＣＰＵ３１は、記憶部３３に記憶されているシステムプログラム及びアプリケーションプログラムのうち、指定されたプログラムを読み出し、ＲＡＭ３２のワークエリアに展開し、当該プログラムに従って各種処理を実行する。その際に、ＣＰＵ３１は、ＲＡＭ３２内に各種処理結果を格納させ、必要に応じてその処理結果を表示部３５に表示させる。
【００３１】
ＲＡＭ３２は、例えば、揮発性のメモリであり、ＣＰＵ３１により読み出された各種のプログラムやデータを一時的に格納するワークエリアを有する。
【００３２】
記憶部３３は、例えば、フラッシュメモリ、ＥＥＰＲＯＭ（Electrically Erasable Programmable Read Only Memory）等により構成され、データ及びプログラムを書き込み及び読み出し可能な記憶部である。また、記憶部３３は、情報表示入力プログラム（図示省略）を記憶している。この情報表示入力プログラムは、所謂ウェブブラウザであり、ユーザの操作入力を受け付け、当該操作入力に基づく情報をサーバ２に送信し、サーバ２から送信されて受信した情報を表示部３５に表示する機能を実現させるプログラムである。
【００３３】
操作部３４は、例えば、タッチパネルを備え、ユーザからのタッチ入力を受け付け、その操作情報をＣＰＵ３１に出力する。
タッチパネルは、表示部３５と一体となって形成され、例えば、静電容量方式、抵抗膜方式、超音波表面弾性波方式等の各種方式により、ユーザによる表示部３５上の接触位置のＸＹ座標を検出する。そして、タッチパネルは、接触位置のＸＹ座標に係る位置信号をＣＰＵ３１に出力する。
【００３４】
表示部３５は、例えば、ＬＣＤや有機ＥＬディスプレイ等から構成されている。また、表示部３５には、ＣＰＵ３１から出力されて入力される表示信号の指示に従って、各種画面を表示する。
【００３５】
無線通信部３６は、例えば、アンテナ、変復調回路、信号処理回路等により構成されている。また、無線通信部３６は、通信ネットワークＮに接続されている基地局やアクセスポイント等と無線電波により情報の送受信を行い、通信ネットワークＮ上の機器（例えば、サーバ２等）との通信を行う。
【００３６】
次に、一般ユーザと専門家ユーザのそれぞれがサーバ２へログインしたときに、端末装置３の表示部３５に最初に表示される表示画面（ＴＯＰ画面）の一例について、図６及び図７を参照して説明する。
図６は、一般ユーザのアカウント（一般アカウント）によってサーバ２へログインがなされたときの表示画面（一般ユーザ用表示画面）を表している。一方、図７は、専門家ユーザのアカウント（専門家アカウント）によってサーバ２へログインがなされたときの表示画面（専門家用表示画面）を表している。
【００３７】
＜一般ユーザのアカウントでの動作＞
一般ユーザ（例えば、「佐藤和夫」氏）のアカウント（一般アカウント「Ｂ０１７」）によってサーバ２へログインがなされた場合、当該ログインを契機として上述したＴｏＤｏアプリケーションプログラム２３ｇが起動され、図６に示すように、端末装置３の表示部３５には、一般ユーザ用表示画面としてＴｏＤｏアプリケーション画面が表示されるようになっている。
【００３８】
ＴｏＤｏアプリケーション画面の上部には、上述したＴｏＤｏアプリケーションプログラム２３ｇ、会計アプリケーションプログラム２３ｈ、給与アプリケーションプログラム２３ｉ、ＰＯＰ作成アプリケーションプログラム２３ｊ、売上管理アプリケーションプログラム２３ｋをそれぞれ起動するための各アイコンが配置されたメニューバーが表示されるようになっている。具体的には、メニューバーには、ＴｏＤｏアプリケーションプログラム２３ｇを起動するためのアイコンＩａ、会計アプリケーションプログラム２３ｈを起動するためのアイコンＩｂ、給与アプリケーションプログラム２３ｉを起動するためのアイコンＩｃ、ＰＯＰ作成アプリケーションプログラム２３ｊを起動するためのアイコンＩｄ、売上管理アプリケーションプログラム２３ｋを起動するためアイコンＩｅが表示されるようになっている。
メニューバーの各アイコンをユーザがクリック操作又はタッチ操作すると、当該アイコンに対応するアプリケーションの所定の処理画面に画面遷移することができるようになっている。なお、図６に示されているＴｏＤｏアプリケーション画面では、ＴｏＤｏアプリケーションプログラム２３ｇが起動された状態にあるため、アイコンＩａだけが他のアイコンＩｂ〜Ｉｅと異なる態様で表示され、アイコンＩａの操作が無効の状態となっている。
【００３９】
また、上記のＴｏＤｏアプリケーション画面のメニューバーの下方には、ＴｏＤｏタスクの概要を表すタスクインデックスが一覧表示されるタスクインデックス一覧表示領域Ｒが表示される。このタスクインデックス一覧表示領域Ｒの上層の領域Ｒ１には、例えば、ＴｏＤｏタスクを処理していない未処理のタスクインデックスが実施期限日を基準に早い日付の順（昇順）に並べて一覧表示されるようになっている。一方、タスクインデックス一覧表示領域Ｒの下層の領域Ｒ２には、例えば、ＴｏＤｏタスクを処理した実施済のタスクインデックスが実施日を基準に遅い日付の順（降順）に並べて一覧表示されるようになっている。なお、実施済のタスクインデックスは、実施日から所定期間（例えば、一週間）が経過すると自動的に消去されるようになっている。
【００４０】
図６に示す表示画面例では、上層の領域Ｒ１に、例えば、実施期限日をそれぞれ１月１７日（火）、１月２５日（水）、１月３１日（火）とする未処理のタスクインデックスＴａが一覧表示されている。これらのタスクインデックスＴａには、処理すべきタスクの内容と、アプリケーションの所定の画面（処理すべきタスクの内容と関連する画面）に遷移させるためのアイコンＩｇと、タスクが処理された場合に選択操作されるタスク済ボタンＢ２が表示されている。また、下層の領域Ｒ２に実施済のタスクインデックスＴｂが二つ表示されている。これらのタスクインデックスＴｂには、実施済のタスクの内容と、当該タスクが実際されたアプリケーションの略称（例えば、「会計」「給与」「ＰＯＰ」等）とが表示されている。
【００４１】
なお、タスクインデックス一覧表示領域Ｒの上層の領域Ｒ１と下層の領域Ｒ２のそれぞれに表示可能なタスクインデックスの数よりも一覧表示するタスクインデックスの数が多い場合には、タスクインデックスの一覧をスクロール表示する。なお、タスクインデックス一覧表示領域Ｒには、未処理のタスクインデックスのみを表示し、実施したタスクインデックスは一覧から削除する（表示しない）ようにしてもよい。この場合には、実施済のタスクインデックスの表示を行う表示ボタンを設けるとよい。
【００４２】
＜専門家ユーザのアカウントでの動作＞
専門家ユーザ（例えば、「会田計五」氏）のアカウント（専門家アカウント「Ａ００５」）によってサーバ２へログインがなされた場合、当該ログインを契機として上述した顧問先管理アプリケーションプログラム２３ｆが起動され、図７に示すように、端末装置３の表示部３５には、専門家用表示画面として顧問先管理画面が表示されるようになっている。
【００４３】
顧問先管理画面の上部に表示されるメニューバーには、一般ユーザ用表示画面と同一のアイコンＩａ〜Ｉｅに加え、顧問先リストＬを表示させるためのアイコンＩｆが表示されている。メニューバーの各アイコンをユーザがクリック操作又はタッチ操作すると、当該アイコンに対応するアプリケーションの所定の処理画面に画面遷移することができるようになっている。なお、図７に示す顧問先管理画面では、既に顧問先管理アプリケーションプログラム２３ｆが起動された状態にあるため、アイコンＩｆだけが他のアイコンＩａ〜Ｉｅと異なる態様で表示され、アイコンＩｆの操作が無効の状態となっている。
【００４４】
顧問先管理画面のメニューバーの下方には、ログインを行った専門家ユーザの顧問先リスト（一覧表）Ｌが表示されるようになっている。この顧問先リストＬには、例えば、従属アカウントに対応する一般ユーザを表す「名前」Ｌ１と、当該一般ユーザが運営する店舗等を表す「屋号」Ｌ２と、サーバ２へログインした直近の日を表す「最終更新日」Ｌ３と、未処理の状態である仕訳処理の作業件数を表す「未仕訳取引数」Ｌ４と、専門家ユーザが当該一般ユーザの代理でログインした際に登録したＴｏＤｏタスク（実施期限日が設定されたＴｏＤｏタスク）のうち、未処理の状態である作業件数を表す「ＴｏＤｏ」Ｌ５と、当該一般ユーザの代理でログインを行うための「代理ログインボタン」Ｌ６と、が対応付けられて表示されるようになっている。なお、「名前」Ｌ１の項目の右端に表示されている▲▼ボタンは、所定の順序性（例えば、あいうえお順等）に基づいて、顧問先の名前を並べ替えるためのボタンである。「屋号」Ｌ２、「最終更新日」Ｌ３、「未仕訳取引数」Ｌ４、「ＴｏＤｏ」Ｌ５に表示されている▲▼ボタンも同様である。
【００４５】
顧問先リストＬにおいて、特定の従属アカウントに対応する代理ログインボタンＬ６を専門家ユーザがクリック操作又はタッチ操作により選択すると、認証情報の入力を行うことなく、当該従属アカウントでのログインを行うためのログイン処理が実行される。そして、ログインが行われると、ログインを行った従属アカウントについての一般ユーザ用表示画面（図６参照）が表示される。そして、表示された一般ユーザ用表示画面のメニューバーから各種アプリケーションプログラムを起動することで、当該従属アカウントに対応する一般ユーザの業務データの閲覧や編集を行うことができる。このように、専門家ユーザは、自身のアカウントでログインを行った後、代理ログインボタンＬ６を選択して顧問先の一般ユーザの従属アカウントでログインを行うことで、一般ユーザの業務データに容易にアクセスすることができる。
【００４６】
＜顧問先リスト表示制御処理＞
次に、作業支援システム１による顧問先リスト表示制御処理について、図８を参照して説明する。
この顧問先リスト表示制御処理は、ＣＰＵ２１が、記憶部２３から読み出して適宜ＲＡＭ２２に展開した顧問先管理アプリケーションプログラム２３ｆとの協働で実行される処理である。
【００４７】
先ず、ＣＰＵ２１は、端末装置３の表示部３５に表示させたログイン画面（図示省略）において、認証情報（例えば、ＩＤ（又はメールアドレス）及びパスワード）の入力を伴うログイン要求がなされたか否かを判定する（ステップＳ１０１）。
【００４８】
ステップＳ１０１において、ログイン要求がなされていないと判定された場合（ステップＳ１０１；ＮＯ）、ＣＰＵ２１は、ステップＳ１０１の判定処理を繰り返し行う。
一方、ステップＳ１０１において、ログイン要求がなされたと判定された場合（ステップＳ１０１；ＹＥＳ）、ＣＰＵ２１は、入力された認証情報に対する認証が成功したか否かを判定する（ステップＳ１０２）。本実施形態では、ＣＰＵ２１は、入力された認証情報と、アカウントＤＢ２３ａに記憶されているいずれかのアカウントに係る認証情報と、が一致する場合に、認証が成功したと判定する。
【００４９】
ステップＳ１０２において、入力された認証情報に対する認証が成功していない、すなわち失敗したと判定された場合（ステップＳ１０２；ＮＯ）、ＣＰＵ２１は、ステップＳ１０１の判定処理へ戻り、当該処理を繰り返し行う。
一方、ステップＳ１０２において、入力された認証情報に対する認証が成功したと判定された場合（ステップＳ１０２；ＹＥＳ）、ＣＰＵ２１は、当該認証に成功したアカウントが専門家アカウントであるか否かを判定する（ステップＳ１０３）。
【００５０】
ステップＳ１０３において、上記認証に成功したアカウントが専門家アカウントでないと判定された場合（ステップＳ１０３；ＮＯ）、ＣＰＵ２１は、顧問先リスト表示制御処理を終了する。
一方、上記認証に成功したアカウントが専門家アカウントであると判定された場合（ステップＳ１０３；ＮＯ）、ＣＰＵ２１は、端末装置３において、顧問先管理画面（ＴＯＰ画面）に顧問先リストＬ（図７参照）を表示させる（ステップＳ１０４）。
【００５１】
次いで、ＣＰＵ２１は、代理ログインの要求がなされたか否か、すなわち、顧問先リストＬにおいていずれかの代理ログインボタンＬ６が押下されたか否かを判定する（ステップＳ１０５）。
【００５２】
ステップＳ１０５において、代理ログインの要求がなされていないと判定された場合（ステップＳ１０５；ＮＯ）、ステップＳ１１１へ移行する。
一方、ステップＳ１０５において、代理ログインの要求がなされたと判定された場合（ステップＳ１０５；ＹＥＳ）、ＣＰＵ２１は、端末装置３において、図６に示される一般ユーザ向けのＴｏＤｏアプリケーション画面（ＴＯＰ画面）を表示させる（ステップＳ１０６）。
【００５３】
次いで、ＣＰＵ２１は、ＴｏＤｏタスクの登録要求がなされたか否か、すなわち、ＴｏＤｏアプリケーション画面において、アイコンＩａが押下されたか否かを判定する（ステップＳ１０７）。
【００５４】
ステップＳ１０７において、ＴｏＤｏタスクの登録要求がなされたと判定された場合（ステップＳ１０７；ＹＥＳ）、ＣＰＵ２１は、ＴｏＤｏタスクの登録処理（ＴｏＤｏ登録処理）を行い（ステップＳ１０８）、ステップＳ１０９に移行する。なお、ＴｏＤｏ登録処理の詳細については後述する。
一方、ステップＳ１０７において、ＴｏＤｏタスクの登録要求がなされていないと判定された場合（ステップＳ１０７；ＮＯ）、ステップＳ１０８をスキップして、ステップＳ１０９に移行する。
【００５５】
次いで、ＣＰＵ２１は、代理ログインが行われたＴｏＤｏアプリケーションからログアウトする代理ログアウトの要求がなされたか否かを判定する（ステップＳ１０９）。
【００５６】
ステップＳ１０９において、代理ログアウトの要求がなされていないと判定された場合（ステップＳ１０９；ＮＯ）、ステップＳ１０７へ戻り、ＣＰＵ２１は、ステップＳ１０７の判定処理を行う。
一方、ステップＳ１０９において、代理ログアウトの要求がなされたと判定された場合（ステップＳ１０９；ＹＥＳ）、ＣＰＵ２１は、端末装置３において、当初表示させた顧問先管理画面（ＴＯＰ画面）の顧問先リストＬを更新して表示させる（ステップＳ１１０）。
【００５７】
次いで、ＣＰＵ２１は、当初ログインが行われた顧問先管理アプリケーションからログアウトするログアウト要求がなされたか否かを判定する（ステップＳ１１１）。
【００５８】
ステップＳ１１１において、ログアウト要求がなされていないと判定された場合（ステップＳ１１１；ＮＯ）、ステップＳ１０５へ戻り、ＣＰＵ２１は、ステップＳ１０５の判定処理を行う。
一方、ステップＳ１１１において、ログアウト要求がなされたと判定された場合（ステップＳ１１１；ＹＥＳ）、顧問先リスト表示制御処理を終了する。
【００５９】
＜ＴｏＤｏ登録処理＞
次に、作業支援システム１によるＴｏＤｏ登録処理について、図９を参照して説明する。
このＴｏＤｏ登録処理は、ＣＰＵ２１が、記憶部２３から読み出して適宜ＲＡＭ２２に展開したＴｏＤｏアプリケーションプログラム２３ｇとの協働で実行される処理である。
【００６０】
先ず、ＣＰＵ２１は、端末装置３の表示部３５に、ＴｏＤｏタスクを登録するための登録フォームＦ（図１０（ａ）参照）を表示させる（ステップＳ２０１）。
図１０（ａ）に示すように、登録フォームＦは、内容入力部Ｆ１と、期限入力部Ｆ２と、重要度入力部Ｆ３と、登録先アカウント入力部Ｆ４と、関連付け入力部Ｆ５と、添付画像入力部Ｆ６と、プレビュー表示部Ｆ７と、管理設定部Ｆ８と、登録ボタンＢ３と、閉じるボタンＢ４と、で構成されている。
【００６１】
内容入力部Ｆ１は、ＴｏＤｏタスクの内容をテキスト情報として入力する部分であり、テキストボックスで構成されている。内容入力部Ｆ１への入力は必須となっている。具体的には、例えば、顧問先の一般ユーザである「佐藤和夫」氏に対して、「消費税申告書を作成してください。」という内容のＴｏＤｏタスクを登録したい場合、図１０（ｂ）に示すように、内容入力部Ｆ１へ「消費税申告書を作成してください。」のテキスト情報を入力する。
【００６２】
期限入力部Ｆ２は、実施期限をプルダウンメニューから選択入力する部分である。例えば、実施期限を１月２３日（月）としたい場合、図１０（ｂ）に示すように、期限入力部Ｆ２から「２０１７／１／２３」を選択入力する。なお、期限入力部Ｆ２への実施期限の入力は任意である。ただし、このＴｏＤｏ登録処理において、実施期限の入力が行われずにＴｏＤｏタスクが登録された場合、顧問先リストＬの「ＴｏＤｏ」Ｌ５の項目には、当該登録されたＴｏＤｏタスクの分の作業件数は加算されないようになっている。
【００６３】
重要度入力部Ｆ３は、ＴｏＤｏタスクの重要度をプルダウンメニューから選択入力する部分である。重要度入力部Ｆ３におけるプルダウンメニューは、例えば、「★☆☆通常（重要度１）」と、「★★☆重要（重要度２）」と、「★★★最重要（重要度３）」と、で構成されている。例えば、重要度を「重要」としたい場合、図１０（ｂ）に示すように、重要度入力部Ｆ３から「★★☆重要（重要度２）」を選択入力する。
【００６４】
登録先アカウント入力部Ｆ４は、ＴｏＤｏタスクの登録先アカウントをプルダウンメニューから選択入力する部分である。ただし、このＴｏＤｏ登録処理では、上述した代理ログインに伴って行われているので、登録先アカウント入力部Ｆ４には、デフォルトで代理ログインが行われた一般ユーザの氏名（例えば、「佐藤和夫様」）が設定入力された状態となっている。
【００６５】
関連付け入力部Ｆ５は、登録するＴｏＤｏタスクと関連する業務をプルダウンメニューから選択入力する部分である。関連付け入力部Ｆ５におけるプルダウンメニューは、例えば、「関連付けない」、「会計」、「給与」、「ＰＯＰ」、「売上集計管理」で構成されている。
【００６６】
添付画像入力部Ｆ６は、添付画像のファイルをプルダウンメニューから選択入力する部分である。
プレビュー表示部Ｆ７は、添付画像入力部Ｆ６に所望の添付画像のファイルが選択入力された際に、当該添付画像が表示される部分である。
【００６７】
管理設定部Ｆ８は、登録するＴｏＤｏタスクを代理者（専門家ユーザ）の管理対象とするか否かをプルダウンメニューから選択入力する部分である。管理設定部Ｆ８におけるプルダウンメニューは、例えば、「オン」と、「オフ」と、で構成されている。例えば、登録するＴｏＤｏタスクを代理者（専門家ユーザ）の管理対象としたい場合、図１０（ｂ）に示すように、管理設定部Ｆ８から「オン」を選択入力する。そして、このＴｏＤｏタスクが登録されると、当該ＴｏＤｏタスクに対応するタスクインデックスＴａ（図１２参照）には、「代理者ウォッチ対象」という文言が記されるとともに、代理者による登録日（更新日）「１月１６日」が記されるようになっている。
【００６８】
登録ボタンＢ３は、登録フォームＦへの入力情報を登録する際に使用されるボタンである。
閉じるボタンＢ４は、登録フォームＦを閉じる際に使用されるボタンである。
【００６９】
ＴｏＤｏ登録処理に戻り、ＣＰＵ２１は、閉じるボタンＢ４の操作がなされたか否かを判定する（ステップＳ２０２）。具体的には、ＣＰＵ２１は、閉じるボタンＢ４の操作がなされたことを示す情報を、通信部２６を介して受信したか否かにより、閉じるボタンＢ４の操作がなされたか否かを判定する。
【００７０】
ステップＳ２０２において、閉じるボタンＢ４の操作がなされたと判定された場合（ステップＳ２０２；ＹＥＳ）、ＴｏＤｏ登録処理を終了する。
一方、ステップＳ２０２において、閉じるボタンＢ４の操作がなされていないと判定された場合（ステップＳ２０２；ＮＯ）、ＣＰＵ２１は、登録ボタンＢ３の操作がなされたか否かを判定する（ステップＳ２０３）。具体的には、ＣＰＵ２１は、登録ボタンＢ３の操作がなされたことを示す情報を、通信部２６を介して受信したか否かにより、登録ボタンＢ３の操作がなされたか否かを判定する。
【００７１】
ステップＳ２０３において、登録ボタンＢ３の操作がなされていないと判定された場合（ステップＳ２０３；ＮＯ）は、ステップＳ２０２に戻る。
一方、ステップＳ２０３において、登録ボタンＢ３の操作がなされたと判定された場合（ステップＳ２０３；ＹＥＳ）、ＣＰＵ２１は、必須である内容入力部Ｆ１へのＴｏＤｏタスクの内容の入力があるか否かを判定する（ステップＳ２０４）。具体的には、ＣＰＵ２１は、内容入力部Ｆ１へのＴｏＤｏタスクの内容の入力がなされたことを示す情報を、通信部２６を介して受信したか否かにより、内容入力部Ｆ１へのＴｏＤｏタスクの内容の入力があるか否かを判定する。
【００７２】
ステップＳ２０４において、内容入力部Ｆ１へのＴｏＤｏタスクの内容の入力があると判定された場合（ステップＳ２０４；ＹＥＳ）、ＣＰＵ２１は、登録フォームＦへの各入力情報を、通信部２６を介して受信し、顧問先の一般ユーザ（例えば、「佐藤和夫」氏；一般アカウント「Ｂ０１７」）のタスクデータテーブル（図５参照）に登録し（ステップＳ２０５）、ＴｏＤｏ登録処理を終了する。
【００７３】
そして、ＴｏＤｏ登録処理においてＴｏＤｏタスクが登録されることにより、上述した顧問先リスト表示制御処理（図８参照）のステップＳ１１０で顧問先リストＬが更新表示された際に、例えば、図１１に示すように、顧問先の一般ユーザである「佐藤和夫」氏に対応する「ＴｏＤｏ」Ｌ５の項目の件数が０件から１件に更新されることとなる。また、「最終更新日」Ｌ３の項目についても、「２０１７／１／１２」からＴｏＤｏ登録処理が行われた「２０１７／１／１６」に更新されることとなる。また、一般ユーザである「佐藤和夫」氏のアカウントによってログインがなされた際のＴｏＤｏアプリケーション画面（ＴＯＰ画面）のタスクインデックス一覧表示領域Ｒの上層の領域Ｒ１には、例えば、図１２に示すように、１番上に表示されている実施期限日を１月１７日（火）とするタスクインデックスＴａと、２番目に表示されている実施期限日を１月２５日（水）とするタスクインデックスＴａとの間に、ＴｏＤｏ登録処理において代理者（「会田計五」氏）により１月１６日付けで新たに登録された実施期限日を１月２３日（月）とするとともに、代理者ウォッチ対象とするＴｏＤｏタスクに係るタスクインデックスＴａが挿入され表示されることとなる。なお、一般ユーザである「佐藤和夫」氏のアカウントによって代理ログインがなされた場合、図１２に示すように、ＴｏＤｏアプリケーション画面（ＴＯＰ画面）の左上部には、「代理ログイン」の文字が、ログインする際に用いられたアカウントに対応する氏名「佐藤和夫様」の右方に表示されるようになっている。
【００７４】
また、ステップＳ２０４において、内容入力部Ｆ１へのＴｏＤｏタスクの内容の入力がないと判定された場合（ステップＳ２０４；ＮＯ）、ＣＰＵ２１は、端末装置３の表示部３５にエラーメッセージを表示させ（ステップＳ２０６）、ステップＳ２０２に移行する。
【００７５】
以上、本実施の形態によれば、サーバ２は、各ユーザが実施すべきＴｏＤｏタスクに係るタスク情報が、ユーザごとに記憶されるようにしたこととなる。また、サーバ２は、一のユーザ（専門家ユーザ）によって指定された他のユーザ（顧問先の一般ユーザ）と、当該一のユーザによって設定された当該他のユーザが実施すべきＴｏＤｏタスクに係るタスク情報と、を対応付けてタスクＤＢ２３ｂに登録したこととなる。また、サーバ２は、登録されたタスク情報に関するタスクの進捗情報を一覧表（顧問先リストＬ）に表示させたこととなる。
【００７６】
このため、一のユーザが他のユーザに対して設定したＴｏＤｏタスクの進捗を当該他のユーザに確認しなくても済むようになるので、当該ＴｏＤｏタスクの進捗を効率良く確認することができる。これにより、ＴｏＤｏタスクの進捗の確認に費やす時間や労力を削減することができる。
【００７７】
また、サーバ２は、進捗情報として、タスクＤＢ２３ｂに登録されたＴｏＤｏタスクのうち、未実施状態のＴｏＤｏタスクの数を顧問先リストＬに表示させたこととなる。このため、顧問先リストＬに表示された未実施状態のＴｏＤｏタスクの数が減っているか否かを確認することにより当該ＴｏＤｏタスクの進捗を確認することができるので、当該進捗の確認を容易にすることができる。
【００７８】
また、サーバ２は、一のユーザによって設定された他のユーザが実施すべきＴｏＤｏタスクに対して、当該一のユーザによって設定される優先度に係る優先度情報を更に対応付けてタスクＤＢ２３ｂに登録可能とし、優先度の設定がなされたＴｏＤｏタスクのうち、未実施状態のタスクの数を顧問先リストＬに表示させたこととなる。このため、優先度の設定がなされていない、すなわち、差し当たり進捗を確認しなくてもいいようなＴｏＤｏタスクについては、顧問先リストＬに表示される未実施状態のＴｏＤｏタスクの数に含まれないようにすることができる。これにより、ＴｏＤｏタスクの進捗をより効率良く確認することができる。
【００７９】
また、サーバ２は、他のユーザの代理として一のユーザによる代理ログインを行ったこととなる。また、サーバ２は、他のユーザの代理として一のユーザによる代理ログインが行われた際に、当該他のユーザと、当該一のユーザによって設定された当該他のユーザが実施すべきＴｏＤｏタスクに係るタスク情報と、を対応付けてタスクＤＢ２３ｂに登録したこととなる。このため、一のユーザが他のユーザの代理としてＴｏＤｏアプリケーションにログインし作業（例えば、消費税申告書の確認）を行った流れで、当該作業に付随するＴｏＤｏタスク（例えば、消費税申告書の作成指示）を登録することができるので、他のユーザが実施すべきＴｏＤｏタスクの登録を効率良く行うことができる。
【００８０】
以上の説明では、本発明に係るプログラムのコンピュータ読み取り可能な媒体として記憶部２３のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００８１】
なお、上記実施の形態における記述は、本発明に係る作業支援装置及びプログラムの一例であり、これに限定されるものではない。
【００８２】
例えば、上記実施の形態では、顧問先リストＬの「ＴｏＤｏ」Ｌ５の項目に、専門家ユーザが一般ユーザの代理でログインした際に登録したＴｏＤｏタスクのうち、未処理の状態である作業件数を表示させるようにしたが、当該表示の対象となるＴｏＤｏタスクは実施期限日の設定がなされたものに限る必要はなく、実施期限日の設定がなされていないＴｏＤｏタスクも当該表示の対象とすることができる。
【００８３】
また、上記実施の形態では、顧問先リストＬの「ＴｏＤｏ」Ｌ５の項目に、専門家ユーザが一般ユーザの代理でログインした際に登録したＴｏＤｏタスクのうち、未処理の状態である作業件数を表示させるようにしたが、当該表示に加えて、実施期限日が過ぎている未実施状態のＴｏＤｏタスクがある場合には、当該ＴｏＤｏタスクがあることを表示させるようにしてもよい。また、専門家ユーザが自身の専門家アカウントで前回ログインしたときと、今回ログインしたときとで、未処理の状態である作業件数に変動がある場合には、当該作業件数の表示態様を変更するようにしてもよい。具体的には、例えば、未実施の状態である作業件数が減少している場合には、当該作業件数が示す数字の色を変更したり、点滅表示に変更する。
【００８４】
また、上記実施の形態において、一のユーザとして、専門家ユーザを例示するとともに、他のユーザとして、当該専門家ユーザに従属する従属アカウントの設定がなされている一般ユーザ（顧問先の一般ユーザ）を例示したが、例えば、当該一のユーザを雇用主、当該他のユーザを従業員とする構成であってもよい。
【００８５】
また、上記実施の形態では、サーバ２の記憶部２３がアカウントＤＢ２３ａ、タスクＤＢ２３ｂ、会計情報ＤＢ２３ｃ、給与ＤＢ２３ｄ、売上情報ＤＢ２３ｅ、顧問先管理アプリケーションプログラム２３ｆ、ＴｏＤｏアプリケーションプログラム２３ｇ、会計アプリケーションプログラム２３ｈ、給与アプリケーションプログラム２３ｉ、ＰＯＰ作成アプリケーションプログラム２３ｊ、売上管理アプリケーションプログラム２３ｋを記憶し、サーバ２のＣＰＵ２１が上記の各プログラムに基づき業務処理を行い、ユーザがウェブブラウザを操作してサーバ２にアクセスして、データの入出力や閲覧を行う構成としたが、これに限定されるものではない。例えば、上記の各プログラムを、通信ネットワークＮを介して利用することができるアプリケーションソフトに適用し、各ユーザがこのアプリケーションソフトを端末装置３にダウンロードし、端末装置３によって業務処理を行えるようにしてもよい。
【００８６】
また、上記実施の形態における作業支援システム１の各構成要素の細部構成及び細部動作に関しては、本発明の趣旨を逸脱することのない範囲で適宜変更可能であることは勿論である。
【００８７】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
各ユーザが実施すべきタスクに係るタスク情報が、ユーザごとに記憶される記憶手段と、
一のユーザによって指定された他のユーザと、当該一のユーザによって設定された当該他のユーザが実施すべきタスクに係るタスク情報と、を対応付けて前記記憶手段に登録する登録制御手段と、
前記登録制御手段によって登録された前記タスク情報に関するタスクの進捗情報を一覧表に表示させる表示制御手段と、
を備えることを特徴とする作業支援装置。
＜請求項２＞
前記表示制御手段は、前記進捗情報として、前記登録制御手段によって登録された前記タスク情報に関するタスクのうち、未実施状態のタスクの数を前記一覧表に表示させることを特徴とする請求項１に記載の作業支援装置。
＜請求項３＞
前記登録制御手段は、前記一のユーザによって設定された前記他のユーザが実施すべきタスクに対して、当該一のユーザによって設定される優先度に係る優先度情報を更に対応付けて前記記憶手段に登録可能であり、
前記表示制御手段は、前記優先度の設定がなされた前記タスクのうち、未実施状態のタスクの数を前記一覧表に表示させることを特徴とする請求項２に記載の作業支援装置。
＜請求項４＞
前記優先度の指標には、少なくとも実施期限日が用いられ、
前記表示制御手段は、前記優先度として実施期限日の設定がなされた前記タスクにおいて、当該実施期限日が過ぎている未実施状態のタスクがある場合には、当該タスクがあることを前記一覧表に表示させることを特徴とする請求項３に記載の作業支援装置。
＜請求項５＞
前記表示制御手段は、前記一のユーザによる前回のログイン時と今回のログイン時とで、前記一覧表に表示される前記未実施状態のタスクの数に変動がある場合には、当該未実施状態のタスクの数の表示態様を変更することを特徴とする請求項２〜４のいずれか一項に記載の作業支援装置。
＜請求項６＞
前記他のユーザの代理として前記一のユーザによる代理ログインを行う代理ログイン手段を備え、
前記登録制御手段は、前記代理ログイン手段によって、前記他のユーザの代理として前記一のユーザによる代理ログインが行われた際に、当該他のユーザと、当該一のユーザによって設定された当該他のユーザが実施すべきタスクに係るタスク情報と、を対応付けて前記記憶手段に登録することを特徴とする請求項１〜５のいずれか一項に記載の作業支援装置。
＜請求項７＞
各ユーザが実施すべきタスクに係るタスク情報が、ユーザごとに記憶される記憶手段を備えるコンピュータを、
一のユーザによって指定された他のユーザと、当該一のユーザによって設定された当該他のユーザが実施すべきタスクに係るタスク情報と、を対応付けて前記記憶手段に登録する登録制御手段、
前記登録制御手段によって登録された前記タスク情報に関するタスクの進捗情報を一覧表に表示させる表示制御手段、
として機能させることを特徴とするプログラム。
【符号の説明】
【００８８】
１  作業支援システム
２  サーバ
２１  ＣＰＵ
２２  ＲＡＭ
２３  記憶部
２４  操作部
２５  表示部
２６  通信部
２７  バス
３  端末装置
３１  ＣＰＵ
３２  ＲＡＭ
３３  記憶部
３４  操作部
３５  表示部
３６  無線通信部
３７  バス
Ｎ  通信ネットワーク
【図１】
2018128853.tif 000003
【図２】
2018128853.tif 000004
【図３】
2018128853.tif 000005
【図４】
2018128853.tif 000006
【図５】
2018128853.tif 000007
【図６】
2018128853.tif 000008
【図７】
2018128853.tif 000009
【図８】
2018128853.tif 000010
【図９】
2018128853.tif 000011
【図１０】
2018128853.tif 000012
【図１１】
2018128853.tif 000013
【図１２】
2018128853.tif 000014